【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
露光光の事前設定可能な波長（λ）に対して感光する少なくとも１つの感光性の層を有する記録媒体（ＡＺＭ）において、少なくとも１つの体積格子（ＶＧ）を、露光により積層生成するための方法であって、
前記記録媒体において、事前設定可能な深さ（ｚ）と事前設定可能な角度（２θ）とにおいて事前設定可能な干渉コントラスト（Ｖ（ｚ））で重ね合わされる、干渉を生成可能なコヒーレント光の少なくとも２つの波面（ＷＦ１、ＷＦ２）により、各体積格子（ＶＧ）が前記記録媒体（ＡＺＭ）に生成され、
前記記録媒体（ＡＺＭ）における体積格子（ＶＧ）の屈折率変調と透明度変調との少なくともいずれかの深さ（ｚ）及び厚さは、光伝播方向（ｚ）において、干渉する波面（ＷＦ１、ＷＦ２）の空間的コヒーレンス度と時間的コヒーレンス度との少なくともいずれか（Γ）の深さ別の制御により制御される、
ことを特徴とする方法。
【請求項２】
前記記録媒体（ＡＺＭ）の前に配置され、コリメートされた波動場（ＰＷ）を有する光源（ＬＳ）により照明されるマスタ格子（Ｇ）の下流側に、前記マスタ格子（Ｇ）において前記コリメートされた波動場（ＰＷ）の回折により得られると共にさらに下流側へ伝播する前記波動場（ＷＦ１、ＷＦ２）の間に、前記光伝播方向（ｚ）において相対的に横方向のオフセット（ｓ（ｚ））（せん断）が存在し、前記せん断が、前記照明する波動場（ＰＷ）の予め定められた複素値の空間コヒーレンス関数と時間コヒーレンス関数との少なくともいずれか（Γ）によって、干渉する前記波動場（ＷＦ１、ＷＦ２）の前記干渉コントラスト（Ｖ（ｚ））の、事前設定可能な深さに応じたプロファイルを引き起こす、
ことを特徴とする請求項１に記載の方法。
【請求項３】
干渉する前記波動場（ＷＦ１、ＷＦ２）は、同一の前記コリメートされた波動場（ＰＷ）の、前記マスタ格子（Ｇ）における回折の異なる回折次数により得られる、
ことを特徴とする請求項２に記載の方法。
【請求項４】
前記記録媒体（ＡＺＭ）の事前設定可能な深さの範囲で生成される前記干渉コントラスト（Ｖ（ｚ））の前記事前設定可能なプロファイルは、前記マスタ格子（Ｇ）を照明する前記光源（ＬＳ）の面における振幅格子（ＡＧ）と位相格子（ＰＧ）との少なくともいずれかの設計の関数である、
ことを特徴とする請求項２又は３に記載の方法。
【請求項５】
前記記録媒体（ＡＺＭ）の前記事前設定可能な深さ（ｚ）に存在する前記干渉コントラスト（Ｖ（ｚ））は、前記体積格子（ＶＧ）の角度選択性（η（Θ））と波長選択性（η（λ））との少なくともいずれかを事前設定可能な方法で制御するとともに、当該体積格子（ＶＧ）の当該角度選択性（η（Θ））と波長選択性（η（λ））との少なくともいずれかのサイドピークを事前設定可能な方式で抑制することを可能とするアポダイゼーション関数に一致する事前設定可能な屈折率変調と透明度変調との少なくともいずれかの形式で、前記記録媒体（ＡＺＭ）において前記体積格子（ＶＧ）を生成する、
ことを特徴とする請求項１から４のいずれか１項に記載の方法。
【請求項６】
マスタ格子（Ｇ）を照明する光源（ＬＳ）の面（Ｅ）は、振幅格子と位相格子との少なくともいずれか、振幅分布と位相分布との少なくともいずれか、アポダイゼーション関数により重ね合わされた振幅格子と位相格子との少なくともいずれか、又はアポダイゼーション関数により重ね合わされた振幅分布と位相分布との少なくともいずれかを表す複素値の光学的透明度関数を有する、
ことを特徴とする請求項２から５のいずれか１項に記載の方法。
【請求項７】
事前設定可能な深さ（ｚ）において生成可能な前記体積格子（ＶＧ）の角度選択性（η（Θ））と波長選択性（η（λ））との少なくともいずれかの形状は、前記光伝播方向における屈折率関数（ｎ１（ｚ））の事前設定可能なプロファイルを通じて調整可能であり、当該プロファイルは２乗ｓｉｎｃ関数、２乗余弦関数、２乗ガウス関数、又は２乗近似矩形関数の形状を有するアポダイゼーション関数である、
ことを特徴とする請求項１から６のいずれか１項に記載の方法。
【請求項８】
事前設定可能な深さ（ｚ）において生成可能な前記体積格子（ＶＧ）の角度選択性（η（Θ））が前記体積格子の厚さにより制御可能であるか、前記記録媒体（ＡＺＭ）が少なくとも２つの体積格子（ＶＧ）を当該記録媒体（ＡＺＭ）に記録することを可能とする事前設定可能な厚さを有するかの少なくともいずれかであり、前記体積格子（ＶＧ）は、前記光伝播方向に順次又は交互に配置される、
ことを特徴とする請求項１から７のいずれか１項に記載の方法。
【請求項９】
複数の事前設定可能な深さ（ｚ）において生成可能な複数の体積格子（ＶＧ）は、特定の事前設定可能な光波長（λ）と、回折により当該波長に影響を与える光のみのためにそれぞれ設計される、
ことを特徴とする請求項１から８のいずれか１項に記載の方法。
【請求項１０】
前記記録媒体（ＡＺＭ）における前記露光光の強度変調の深さアポダイゼーションと深さ分離との少なくともいずれかが、動的に制御される、
ことを特徴とする請求項１から９のいずれか１項に記載の方法。
【請求項１１】
前記記録媒体（ＡＺＭ）における前記体積格子（ＶＧ）の前記屈折率変調（ｎ１（ｚ））のプロファイルは、マスタ格子（Ｇ）を照明する光源（ＬＳ）の面（Ｅ）における複素振幅の事前設定可能な調整により定まる、
ことを特徴とする請求項１から１０のいずれか１項に記載の方法。
【請求項１２】
マスタ格子（Ｇ）は、照明される面が前記体積格子（Ｇ）用の前記記録媒体（ＡＺＭ）の表面の一部であるか、又は当該表面と一致するような表面プロファイル格子の形式で提供される、
ことを特徴とする請求項１から１１のいずれか１項に記載の方法。
【請求項１３】
マスタ格子（Ｇ）を照明する光源（ＬＳ）の面（Ｅ）において位相分布と振幅分布との少なくともいずれかの非対称性を導入することにより、前記記録媒体（ＡＺＭ）において、前記屈折率変調（ｎ１（ｚ））の非対称形プロファイルが生成される、
ことを特徴とする請求項１から１２のいずれか１項に記載の方法。
【請求項１４】
前記記録媒体（ＡＺＭ）は開始剤を有し、前記露光光の一定光部分が前記記録媒体（ＡＺＭ）の前記開始剤を活性化するのに用いられる、
ことを特徴とする請求項１から１３のいずれか１項に記載の方法。
【請求項１５】
切り替え可能な体積格子（ＶＧ）の生成のために、光学的又は電気的にアドレス可能な材料が前記記録媒体として用いられる、
ことを特徴とする請求項１から１４のいずれか１項に記載の方法。
【請求項１６】
生成可能な前記体積格子（ＶＧ）における回折を通じて、事前設定可能な固定の又は切り替え可能な形式で、様々な構成構造、特に平面波から平面波、平面波から球面波、が実現される、
ことを特徴とする請求項１から１５のいずれか１項に記載の方法。
【請求項１７】
前記露光光の空間的コヒーレンス特性と時間的コヒーレンス特性とのすくなくともいずれか（Γ）の事前設定可能な選択により、前記記録媒体（ＡＺＭ）における前記体積格子（ＶＧ）の記録中の反射が抑制される、
ことを特徴とする請求項１から１６のいずれか１項に記載の方法。
【請求項１８】
マスタ格子（Ｇ）を照明する光源（ＬＳ）の面（Ｅ）に、連続的または周期的に変動する周期を有する位相格子（ＰＧ）が配置される、
ことを特徴とする請求項１から１７のいずれか１項に記載の方法。
【請求項１９】
事前設定された方向において事前設定された角度範囲と波長範囲との少なくともいずれかを偏向させるために前記記録媒体（ＡＺＭ）において少なくとも２つの位相シフトされた体積格子（ＶＧ１、ＶＧ２）が生成されるか、前記記録媒体（ＡＺＭ）における深さ（ｚ）において体積格子（ＶＧ）がずらされるように当該体積格子（ＶＧ）が生成されるか、の少なくともいずれかであり、前記体積格子のそれぞれは光パルスの遷移時間差を補償するために異なる波長を扱う、
ことを特徴とする請求項１から１８のいずれか１項に記載の方法。
【請求項２０】
前記記録媒体（ＡＺＭ）の事前設定された深さ（ｚ）における事前設定された形状と厚さでの体積構成（ＶＧ）の記録が、前記記録媒体において表面から内側に向かって開始剤を化学的又は光学的に使い尽くすことによって達成され、前記記録媒体（ＡＺＭ）の事前設定された深さ（ｚ）における事前設定された形状と厚さでの体積構成（ＶＧ）の記録は、特に、前記記録媒体（ＡＺＭ）において開始剤を局所的かつ光学的に使い尽くすことにより達成される、
ことを特徴とする請求項１から１９のいずれか１項に記載の方法。
【請求項２１】
前記屈折率変調（ｎ１（ｚ））の事前設定されたプロファイルに対して、前記干渉コントラスト（Ｖ（ｚ））を設計する際に前記記録媒体の伝達関数が考慮されなければならない、
ことを特徴とする請求項１から２０のいずれか１項に記載の方法。
【請求項２２】
前記記録媒体（ＡＺＭ）における前記屈折率変調（ｎ１（ｚ））の深さ分離と深さアポダイゼーションとの少なくともいずれかが、前記露光光の時間的コヒーレンス度（Γ）のビート関数を用いて生成され、時間的コヒーレンス度（Γ）の前記ビート関数は、特に、光源（ＬＳ）の少なくとも２つの分離されたスペクトル範囲を用いて、前記露光光において生成される、
ことを特徴とする請求項１から２１のいずれか１項に記載の方法。
【請求項２３】
時間的コヒーレンス度（Γ）の前記ビート関数の包絡線は、前記光源（ＬＳ）のスペクトル分布のセクションの形状により定められる、
ことを特徴とする請求項２２に記載の方法。
【請求項２４】
事前設定可能な干渉コントラスト（Ｖ（ｚ））が、入射波面と、前記記録媒体（ＡＺＭ）の出力側の面に直接隣接して配置される方向別の反射媒体から反射されるその反射波面との重ねあわせにより前記記録媒体（ＡＺＭ）において生成され、前記反射媒体は、少なくとも１つの切り替え可能な反射型液晶格子である、
ことを特徴とする請求項１から２３のいずれか１項に記載の方法。
【請求項２５】
複製による体積格子（ＶＧ）の生成のために、少なくとも１つの制御可能なＰＤＬＣ格子がマスタ格子（Ｇ）として使用される、
ことを特徴とする請求項１から２４のいずれか１項に記載の方法。
【請求項２６】
少なくとも１つの金属干渉フィルタ、透過型又は反射型誘電体層スタック、固定又は可変ファブリペロー干渉フィルタ、透過型又は反射型体積格子、又は変形分光計が、前記露光光のためのスペクトルフィルタとして使用される、
ことを特徴とする請求項１から２５のいずれか１項に記載の方法。
【請求項２７】
前記記録媒体（ＡＺＭ）における前記干渉コントラスト（Ｇ（ｚ））の事前設定されたビートの部分が、事前設定された距離における長手方向において、対称型アポダイゼーションプロファイルを用いて制限される、
ことを特徴とする請求項１から２６のいずれか１項に記載の方法。
【請求項２８】
前記記録媒体（ＡＺＭ）において生成可能な干渉コントラスト（Ｖ（ｚ））の横方向幅における干渉する波面の伝播方向の間の角度（θ）により生じる光路差（ＯＰＤ）の影響が排除され、入射波（ＰＷ）と、前記記録媒体（ＡＺＭ）の射出面に直接接触して配置される反射面から反射される反射波との間で干渉が生じる、
ことを特徴とする請求項１から２７のいずれか１項に記載の方法。
【請求項２９】
事前設定可能な厚さを有した少なくとも２つの体積格子を有し、光変調器（ＳＬＭ）の画素（ＲＧＢ１、ＲＧＢ２）により放射される光を重ねあわせるために供される記録媒体（ＡＺＭ）を有するビームコンバイナであって、
前記体積格子（ＶＧ１、ＶＧ２）は、請求項１から２８のいずれか１項に記載の方法を用いて、前記記録媒体（ＡＺＭ）において生成される、
ことを特徴とするビームコンバイナ。
【請求項３０】
前記体積格子（ＶＧ１、ＶＧ２）は、事前設定可能な幅とプロファイルとの少なくともいずれかを有する角度選択性（η（Θ））を有する、
ことを特徴とする請求項２９に記載のビームコンバイナ。
【請求項３１】
光伝播方向において順次配置される２つの体積格子スタック（ＶＧＳ１、ＶＧＳ２）をさらに有し、前記体積格子スタックのそれぞれは、原色（ＲＧＢ）に対して事前設定可能な厚さを有した３つの偏光選択性及び波長選択性の体積格子（ＶＧ１、ＶＧ２、ＶＧ３、ＶＧ４、ＶＧ５、ＶＧ６）を有し、前記２つの体積格子スタック（ＶＧＳ１、ＶＧＳ２）は、別の事前設定可能な厚さを有するスペーサ層（Ｓ）により分離される、
ことを特徴とする請求項２９又は３０に記載のビームコンバイナ。
【請求項３２】
光伝播方向に見て前記ビームコンバイナ（ＢＣ）の後に開口絞りが備えられる場合、スペーサ層（Ｓ）を含む体積格子スタック（ＶＧＳ１、ＶＧＳ２）の全体の厚さが、事前設定された値を超えず、３原色（ＲＧＢ）の全てと、前記体積格子スタック（ＶＧＳ１、ＶＧＳ２）の６つの体積格子（ＶＧ１、ＶＧ２、ＶＧ３、ＶＧ４、ＶＧ５、ＶＧ６）の全てに対して、０．１°未満の再構成構造の角度許容差が維持される、
ことを特徴とする請求項２９から３１のいずれか１項に記載のビームコンバイナ。
【請求項３３】
データ又は安全特徴を記録するために請求項１から２８のいずれか１項に記載の方法を実行する方法であって、
前記データ又は安全特徴を体積格子（ＶＧ）の形式で記録媒体（ＡＺＭ）への記録中に、角度分割多重と波長分割多重との少なくともいずれかに加え、深さ（ｚ）分割多重が実現され、又は、
角度選択性（η（Θ））と波長選択性（η（λ））との少なくともいずれかのサイドピークが抑制されるように、前記角度選択性（η（Θ））と波長選択性（η（λ））との少なくともいずれかのプロファイルが事前設定可能である、
ことを特徴とする方法。
【請求項３４】
光源（ＬＳ）と光線分割器手段（Ｇ）とを用いて、特に請求項１から２８のいずれか１項に記載の方法を実行するために、露光により記録媒体（ＡＺＭ）において少なくとも１つの体積格子（ＶＧ）を積層生成する装置であって、前記記録媒体（ＡＺＭ）は前記露光光の事前設定可能な波長（λ）に対して感光する少なくとも１つの感光層を有し、
前記光線分割器手段（Ｇ）は前記光源（ＬＳ）により放射された前記露光光が、干渉を発生させることができるコヒーレント光の少なくとも２つの波面（ＷＦ１、ＷＦ２）に分割可能であるように設計されると共に配置され、
前記体積格子（ＶＧ）のそれぞれは、干渉を発生させることができるコヒーレント光の前記少なくとも２つの波面（ＷＦ１、ＷＦ２）により、前記記録媒体（ＡＺＭ）において生成可能であり、
干渉を発生させることができるコヒーレント光の前記少なくとも２つの波面（ＷＦ１、ＷＦ２）は、前記記録媒体（ＡＺＭ）中の事前設定可能な角度（２θ）、事前設定可能な深さ（ｚ）において、事前設定可能な干渉コントラスト（Ｖ（ｚ））で重ね合わせることができ、
前記記録媒体（ＡＺＭ）における体積格子（ＶＧ）の屈折率変調と透過度変調との少なくともいずれかの深さ（ｚ）及び厚さは、光伝播方向（ｚ）において、干渉する前記波面の空間的コヒーレンス度と時間的コヒーレンス度との少なくともいずれか（Γ）を深さ別に制御することにより制御可能である、
ことを特徴とする装置。
【請求項３５】
前記光線分割器手段（Ｇ）は、表面プロファイル格子の形式で設計可能である回折格子を有する、
ことを特徴とする請求項３４に記載の装置。
【請求項３６】
少なくとも２つの体積格子（ＶＧ１、ＶＧ２）を有する記録媒体（ＡＺＭ）を有するホログラム要素であって、請求項１から２８のいずれか１項に記載の方法を用いて構成される、
ことを特徴とするホログラム要素。